(57)【要約】【課題】ヘッドに対するフックの向きを固定することができる魚釣り用仕掛けを提供する。【解決手段】仕掛け１Ａは、ライン挿通孔を有する中通し錘からなるヘッド２と、フック７を備える。フック７の軸部７ｂの基端部に、軸部７ｂよりも径方向外側に突出した断面非円形状の突出部７ｚが、フック７の軸周りに回転しないように設けられている。フック７の突出部７ｚには、ヘッド２のライン挿通孔に挿通されたライン１１が繋がれるものである。ヘッド２の表面におけるライン挿通孔のフック７側の端開口部３ａに断面非円形状の凹所５が設けられている。凹所５は、その内側にフック７の突出部７ｚが嵌入されることにより、ヘッド２に対するフック７の向きを固定するものである。【選択図】図２
0003203593.tif 000002
【実用新案登録請求の範囲】
【請求項１】
ライン挿通孔を有する中通し錘からなるヘッドと、フックを備え、
前記フックの軸部の基端部に、前記軸部よりも径方向外側に突出した断面非円形状の突出部が、前記フックの軸周りに回転しないように設けられており、
前記フックの前記突出部には、前記ヘッドの前記ライン挿通孔に挿通されたラインが繋がれるものであり、
前記ヘッドの表面における前記ライン挿通孔の前記フック側の端開口部に、前記フックの前記突出部の断面形状に対応した断面非円形状の凹所が設けられており、
前記凹所は、その内側に前記フックの前記突出部が嵌入されることにより前記ヘッドに対する前記フックの向きを固定するものである、魚釣り用仕掛け。
【請求項２】
前記フックの前記突出部は、前記フックの前記軸部の前記基端部に一体形成されたラインアイ部に取り付けられたスプリットリングである請求項１記載の魚釣り用仕掛け。
【請求項３】
前記フックの前記突出部は、前記フックの前記軸部の前記基端部に一体形成されたラインアイ部である請求項１記載の魚釣り用仕掛け。
【請求項４】
前記凹所の前記内側に前記フックの前記突出部が嵌入された状態を保持するために、前記ライン挿通孔に挿通され且つ前記突出部に繋がれた前記ラインに前記ヘッドを位置固定するペグを更に備えている請求項１〜３のいずれかに記載の魚釣り用仕掛け。
【請求項５】
前記凹所は、その前記内側に、前記ヘッドに対する前記フックの向きが上向きになるように前記フックの前記突出部が嵌入可能であり更に前記ヘッドに対する前記フックの向きが下向きになるように前記フックの前記突出部が嵌入可能である請求項１〜４のいずれかに記載の魚釣り用仕掛け。
【考案の詳細な説明】
【技術分野】
【０００１】
本考案は魚釣りに用いられる仕掛け（魚釣り用仕掛け具）に関する。
【背景技術】
【０００２】
鯛カブラ等の魚釣り用仕掛けは、例えば登録実用新案第３１９０１２６号公報に開示されているように、中通し錘からなるヘッド、フック等を備えている。一般にフックには擬似餌（ネクタイ、スカート、ワーム等）や本物の餌が付けられる。
【先行技術文献】
【特許文献】
【０００３】
【特許文献１】登録実用新案第３１９０１２６号公報
【考案の概要】
【考案が解決しようとする課題】
【０００４】
而して、この種の仕掛けでは、フックの魚へのフッキング率を高めたり、フックに付けられた餌（擬似餌、本物の餌）の水中での泳動状態を安定させたりするため、ヘッドに対するフックの向きは固定されることが望ましい。
【０００５】
しかしながら、上記の公報に開示の仕掛けでは、ヘッドに対するフックの向きを固定することができなかった。
【０００６】
本考案は、上述した技術背景に鑑みてなされたもので、その目的は、ヘッドに対するフックの向きを固定可能な魚釣り用仕掛けを提供することにある。
【課題を解決するための手段】
【０００７】
本考案は以下の手段を提供する。
【０００８】
［１］  ライン挿通孔を有する中通し錘からなるヘッドと、フックを備え、
前記フックの軸部の基端部に、前記軸部よりも径方向外側に突出した断面非円形状の突出部が、前記フックの軸周りに回転しないように設けられており、
前記フックの前記突出部には、前記ヘッドの前記ライン挿通孔に挿通されたラインが繋がれるものであり、
前記ヘッドの表面における前記ライン挿通孔の前記フック側の端開口部に、前記フックの前記突出部の断面形状に対応した断面非円形状の凹所が設けられており、
前記凹所は、その内側に前記フックの前記突出部が嵌入されることにより前記ヘッドに対する前記フックの向きを固定するものである、魚釣り用仕掛け。
【０００９】
［２］  前記フックの前記突出部は、前記フックの前記軸部の前記基端部に一体形成されたラインアイ部に取り付けられたスプリットリングである前項１記載の魚釣り用仕掛け。
【００１０】
［３］  前記フックの前記突出部は、前記フックの前記軸部の前記基端部に一体形成されたラインアイ部である前項１記載の魚釣り用仕掛け。
【００１１】
［４］  前記凹所の前記内側に前記フックの前記突出部が嵌入された状態を保持するために、前記ライン挿通孔に挿通され且つ前記突出部に繋がれた前記ラインに前記ヘッドを位置固定するペグを更に備えている前項１〜３のいずれかに記載の魚釣り用仕掛け。
【００１２】
［５］  前記凹所は、その前記内側に、前記ヘッドに対する前記フックの向きが上向きになるように前記フックの前記突出部が嵌入可能であり更に前記ヘッドに対する前記フックの向きが下向きになるように前記フックの前記突出部が嵌入可能である前項１〜４のいずれかに記載の魚釣り用仕掛け。
【考案の効果】
【００１３】
本考案は以下の効果を奏する。
【００１４】
前項［１］に記載の仕掛けでは、ヘッドの凹所の内側にフックの突出部を嵌入することにより、ヘッドに対するフックの向きを固定することができる。
【００１５】
前項［２］では、フックの突出部は、フックの軸部の基端部に一体形成されたラインアイ部に取り付けられたスプリットリングであるから、ラインのフックへの取付けを容易に行うことができる。
【００１６】
前項［３］では、フックの突出部は、フックの軸部の基端部に一体形成されたラインアイ部であるから、ラインのフックへの取付けを容易に行うことができるし、仕掛けの部品数を減らすことができる。
【００１７】
前項［４］では、ヘッドの凹所の内側にフックの突出部が嵌入された状態をペグによって保持することができる。
【００１８】
前項［５］では、釣りたい魚の種類に応じてフックの向きを固定することができ、これにより、その魚へのフッキング率を高めることができる。
【図面の簡単な説明】
【００１９】
【図１】図１は、本考案の第１実施形態に係る魚釣り用仕掛けの斜視図である。
【図２】図２は、同仕掛けにおいてヘッドとフックを分離した状態の斜視図及び一部拡大斜視図である。
【図３】図３は、図１中のＡ−Ａ線断面図である。
【図４】図４は、図１中のＢ−Ｂ線断面図である。
【図５】図５は、本考案の第２実施形態に係る魚釣り用仕掛けの斜視図である。
【図６】図６は、同仕掛けにおいてヘッドとフックを分離した状態の斜視図及び一部拡大斜視図である。
【図７】図７は、本考案の第３実施形態に係る魚釣り用仕掛けの斜視図である。
【図８】図８は、同仕掛けにおいてヘッドとフックを分離した状態の斜視図及び一部拡大斜視図である。
【図９】図９は、本考案の第４実施形態に係る魚釣り用仕掛けの斜視図である。
【図１０】図１０は、同仕掛けにおいてヘッドとフックを分離した状態の斜視図及び一部拡大斜視図である。
【考案を実施するための形態】
【００２０】
次に、本考案の幾つかの実施形態について図面を参照して以下に説明する。
【００２１】
ここで、本考案に係る魚釣り用仕掛けの前後方向は限定されるものではないが、本実施形態及び実用新案登録請求の範囲では、説明の便宜上、図面に記載されているように、フック７からライン１１が延びる方向を前方向、その反対方向を後方向と定義する。
【００２２】
図１〜４は、本考案の第１実施形態に係る魚釣り用仕掛け１Ａを説明する図である。
【００２３】
図１及び２に示すように、本第１実施形態の仕掛け１Ａは、ヘッド（シンカー）２、フック７、ペグ８などを備えている。
【００２４】
ヘッド２は、図３及び４に示すように、鉛、タングステン、真鍮等の金属製の中通し錘からなるものであり、前後方向に貫通した断面円形状のライン挿通孔３を有している。
【００２５】
ライン挿通孔３の内側にはフッ素樹脂等の合成樹脂製のライン保護用チューブ４が挿入配置されるとともに、この状態でチューブ４が接着剤により又はライン挿通孔３への圧入によりライン挿通孔３に固定されている。したがって、本第１実施形態（及び後述の第２〜第４実施形態）では、ヘッド２のライン挿通孔３は、厳密にはライン保護用チューブ４の中空孔からなるものであり、ライン挿通孔３に挿通されるライン１１がライン挿通孔３の内周面に摺接することによるライン１１の損傷をこのチューブ４によって保護することができる。
【００２６】
このように本考案の係る仕掛けは、ヘッド２のライン挿通孔３の内側にライン保護用チューブ４が配置されていることが特に望ましいが、必ずしもチューブ４がライン挿通孔３の内側に配置されていることを要しない。
【００２７】
図１及び２に示すように、フック７は、ヘッド２に対して後側に配置されるものであり、軸部７ｂと、針先部７ｃと、軸部７ｂと針先部７ｃを一体に連結するとともに軸部７ｂと針先部７ｃとの間に懐（ふところ）を形成するために湾曲した連結部７ｄと、を備えている。
【００２８】
図２に示すように、フック７の軸部７ｂの基端部にはラインアイ部７ａが一体形成されている。ラインアイ部７ａは、軸部７ｂの基端側が円環状に屈曲されることで軸部７ｂの基端部に一体形成されたものである。したがって、ラインアイ部７ａは、フック７の軸回りに回転しないようにフック７の軸部７ｂの基端部に一体に設けられている。
【００２９】
本第１実施形態の仕掛け１Ａでは、ラインアイ部７ａは、フック７の軸部７ｂと針先部７ｃを通る平面に対して略直交する方向に突出した円環状に形成されている。ここで本第１実施形態では、フック７の軸部７ｂと針先部７ｃを通る平面は鉛直面であり、ラインアイ部７ａが突出した方向は左右方向である。
【００３０】
さらに、フック７のラインアイ部７ａには環状（詳述すると略方形環状）のスプリットリング７ｅが取り付けられており、これにより、スプリットリング７ｅは、フック７の軸回りに回転しないようにフック７のラインアイ部７ａに取り付けられており、厳密にはフック７の軸回りに概ね１／４回転以上回転しないようにフック７のラインアイ部７ａに取り付けられている。
【００３１】
本第１実施形態では、スプリットリング７ｅは、フック７の軸部７ｂよりも径方向外側に突出した断面非円形状のフック向き固定用突出部７ｚに相当している。そして、ラインアイ部７ａが上述したようにフック７の軸部７ｂと針先部７ｃを通る平面（鉛直面）に対して略直交する方向（左右方向）に突出した円環状に形成されていることから、スプリットリング７ｅは、フック７の軸部７ｂと針先部７ｃを通る平面（鉛直面）内における軸部７ｂに対して略直交する方向（即ち上下方向）に突出した状態にラインアイ部７ａに取り付けられており、スプリットリング７ｅ全体の断面形状は略長方形状である。
【００３２】
ヘッド２のライン挿通孔３に挿通されたライン１１は、スプリットリング７ｅに結び繋がれている。
【００３３】
フック７は餌（擬似餌９、本物の餌など）が取外し可能に付けられるものであり、本第１実施形態では餌としての擬似餌９がフック７に取外し可能に付けられている。擬似餌９は限定されるものではなく、餌の外観形状を模したもの（例：擬似ワーム）であっても良いし、鯛カブラ等に用いられるスカート、ネクタイなどであっても良い。なお本考案は、フック７に擬似餌９が付けられることに限定されるものではなく、その他に釣り餌用エビ等の本物の餌が付けられても良い。
【００３４】
図２に示すように、ヘッド２の表面におけるライン挿通孔３のフック７側の端開口部（即ちライン挿通孔３の後開口部）３ａには、スプリットリング７ｅの断面形状に対応した断面非円形状の凹所５が設けられている。
【００３５】
凹所５は、詳述すると、フック７の軸部７ｂと針先部７ｃを通る平面（即ち鉛直面）内における軸部７ｂに対して略直交する方向（即ち上下方向）に延びた断面略長方形状のものであり、図１に示すように、凹所５の内側に、ヘッド２のライン挿通孔３に挿通されたライン１１が繋がれたスプリットリング７ｅが抜出可能に嵌入されることにより、ヘッド２に対するフック７の向きを固定するものである。すなわち、スプリットリング７ｅが凹所５の内側に嵌入されることにより、スプリットリング７ｅがヘッド２に対してフック７の軸周りに回転しなくなり、つまりフック７はその軸周りに回転しなくなり、その結果、ヘッド２に対してフック７の向きが固定される。本第１実施形態では、フック７の向きはヘッド２に対して上向きに固定されている。
【００３６】
凹所５の深さは、凹所５の内側にフック７のスプリットリング７ｅ（突出部７ｚ）が嵌入された状態でスプリットリング７ｅ（突出部７ｚ）がヘッド２に対してフック７の軸周りに回転しないような深さに設定されており、具体的には凹所５の深さは、フック７のスプリットリング７ｅ（突出部７ｚ）の凹所５内側への嵌入方向の長さ、即ちスプリットリング７ｅ（突出部７ｚ）の前後方向の長さに対して約１／３倍〜約１．３倍の範囲に設定されている。
【００３７】
そして、図３及び４に示すように、ヘッド２の凹所５の内側にスプリットリング７ｅが嵌入された状態のもとで、ペグ８が、ヘッド２のライン挿通孔３に挿通されたライン１１におけるライン挿通孔３のフック７側とは反対側の端開口部（即ちライン挿通孔３の前開口部）３ｂに対応する位置に取外し可能に取り付けられている。これにより、ヘッド２がライン１１に沿って移動しないようにライン１１に対するヘッド２の位置が固定されており、その結果、図４に示すようにヘッド２の凹所５の内側にスプリットリング７ｅが嵌入された状態が保持されている。
【００３８】
本第１実施形態の仕掛け１Ａでは、ヘッド２の凹所５の内側にフック７の突出部７ｚとしてのスプリットリング７ｅを嵌入することにより、ヘッド２に対してフック７の向きを固定することができる。そのため、釣り竿のしゃくりによるフック７の魚へのフッキング率を高めたり、フック７に付けられた餌（擬似餌９、本物の餌など）の水中での泳動状態を安定させたりすることができるし、更に、フック７のその軸周りの回転によるライン１１の撚れを防止することができる。しかも、本第１実施形態では、ヘッド２に対するフック７の向きが上向きに固定されるので、フック７の根掛かりを減らすことができる。
【００３９】
さらに本第１実施形態の仕掛け１Ａでは、スプリットリング７ｅを上下逆にして（即ちスプリットリング７ｅをフック７の軸周りにフック７と一体に１８０°回転させて）ヘッド２の凹所５の内側に嵌入することができ、こうすることにより、ヘッド２に対するフック７の向きを下向きに固定することができる。このようにフック７の向きを下向きに固定することにより、フック７に付けられた餌にその下側から食いつく魚に対してフックキング率を高めることができる。
【００４０】
このように、本第１実施形態の仕掛け１Ａでは、フック７の向きを上向き及び下向きにそれぞれ固定可能である。したがって、釣りたい魚の食いつき方向にフック７が向くようにフック７の向きを変更することにより、その魚へのフッキング率を高めることができる。
【００４１】
さらに本第１実施形態では、フック７の突出部７ｚは、フック７の軸部７ｂの基端部に一体形成されたラインアイ部７ａに取り付けられたスプリットリング７ｅであるから、ライン１１のフック７への取付けを容易に行うことができる。
【００４２】
図５及び６は、本考案の第２実施形態に係る魚釣り用仕掛け１Ｂを説明する図である。これらの図には、上記第１実施形態の仕掛け１Ａの要素と同等の要素には上記第１実施形態で用いた符号と同じ符号が付されている。以下では、本第２実施形態の仕掛け１Ｂを上記第１実施形態の仕掛け１Ａとの相異点を中心に説明する。
【００４３】
本第２実施形態の仕掛け１Ｂでは、図６に示すように、フック７のラインアイ部７ａは、フック７の軸部７ｂと針先部７ｃを通る平面（即ち鉛直面）内における軸部７ｂに対して略直交する方向（即ち上下方向）に突出した円環状にフック７の軸部７ｂの基端部に一体形成されている。
【００４４】
さらに、フック７のラインアイ部７ａにはスプリットリング７ｅが取り付けられている。したがって、スプリットリング７ｅはフック７に対してその軸回りに回転しない。
【００４５】
本第２実施形態では、上述したようにフック７のラインアイ部７ａがフック７の軸部７ｂと針先部７ｃを通る平面（鉛直面）内における軸部７ｂに対して略直交する方向（上下方向）に突出した円環状に形成されていることから、スプリットリング７ｅは、フック７の軸部７ｂと針先部７ｃを通る平面（鉛直面）に対して略直交する方向（左右方向）に突出した状態にフック７のラインアイ部７ａに取り付けられている。
【００４６】
ヘッド２の凹所５は、フック７の軸部７ｂと針先部７ｃを通る平面（鉛直面）に対して略直交する方向（左右方向）に延びた断面略長方形状のものであり、図５に示すように、凹所５の内側に、ヘッド２のライン挿通孔（図３参照、符号３）に挿通されたライン１１が繋がれたスプリットリング７ｅが抜出可能に嵌入されることにより、ヘッド２に対するフック７の向きを固定するものである。すなわち、スプリットリング７ｅが凹所５の内側に嵌入されることによりフック７はその軸周りに回転しなくなり、その結果、ヘッド２に対するフック７の向きが固定される。図５では、フック７の向きはヘッド２に対して上向きに固定されている。
【００４７】
さらに、本第２実施形態の仕掛け１Ｂでは、スプリットリング７ｅを左右逆にして（即ちスプリットリング７ｅをフック７の軸周りにフック７と一体に１８０°回転させて）ヘッド２の凹所５の内側に嵌入することができ、こうすることにより、ヘッド２に対するフック７の向きを下向きに固定することができる。
【００４８】
図７及び８は、本考案の第３実施形態に係る魚釣り用仕掛け１Ｃを説明する図である。これらの図には、上記第１実施形態の仕掛け１Ａの要素と同等の要素には上記第１実施形態で用いた符号と同じ符号が付されている。以下では、本第３実施形態の仕掛け１Ｃを上記第１実施形態の仕掛け１Ａとの相異点を中心に説明する。
【００４９】
本第３実施形態の仕掛け１Ｃでは、図８に示すように、フック７のラインアイ部７ａは、上記第１実施形態の仕掛け１Ａ（図２参照）と同じようにフック７の軸部７ｂと針先部７ｃを通る平面（即ち鉛直面）に対して略直交する方向（即ち左右方向）に突出した円環状に形成されている。そして、ヘッド２のライン挿通孔（図３参照、符号３）に挿通されたライン１１は、スプリットリング（図２参照、符号７ｅ）を介さないで即ち直接ラインアイ部７ａに結び繋がれている。
【００５０】
本第３実施形態では、ラインアイ部７ａがフック７の軸部７ｂよりも径方向外側に突出した断面円形状の突出部７ｚに相当している。ラインアイ部７ａ全体の断面形状は略長方形状である。
【００５１】
ヘッド２の凹所５は、フック７の軸部７ｂと針先部７ｃを通る平面（鉛直面）に対して略直交する方向（左右方向）に延びた断面略長方形状のものであり、図７に示すように、凹所５の内側に、ヘッド２のライン挿通孔（図３参照、符号３）に挿通されたライン１１が繋がれたラインアイ部７ａが抜出可能に嵌入されることにより、ヘッド２に対するフック７の向きを固定するものである。すなわち、ラインアイ部７ａが凹所５の内側に嵌入されることによりフック７はその軸周りに回転しなくなり、その結果、ヘッド２に対するフック７の向きが固定される。図７では、フック７の向きはヘッド２に対して上向きに固定されている。
【００５２】
さらに、本第３実施形態の仕掛け１Ｃでは、フック７のラインアイ部７ａを左右逆にして（即ちラインアイ部７ａをフック７の軸周りに１８０°回転させて）ヘッド２の凹所５の内側に嵌入することができ、こうすることにより、ヘッド２に対するフック７の向きを下向きに固定することができる。
【００５３】
本第３実施形態の仕掛け１Ｃでは、フック７の突出部７ｚは、フック７の軸部７ｂの基端部に一体形成されたラインアイ部７ａであるから、ライン１１のフック７への取付けを容易に行うことができるし、仕掛け１Ｃの部品数を減らすことができる。
【００５４】
図９及び１０は、本考案の第４実施形態に係る魚釣り用仕掛け１Ｄを説明する図である。これらの図には、上記第１実施形態の仕掛け１Ａの要素と同等の要素には上記第１実施形態で用いた符号と同じ符号が付されている。以下では、本第４実施形態の仕掛け１Ｄを上記第１実施形態の仕掛け１Ａとの相異点を中心に説明する。
【００５５】
本第４実施形態の仕掛け１Ｄでは、図１０に示すように、フック７のラインアイ部７ａは、上記第２実施形態の仕掛け１Ｂ（図６参照）と同じようにフック７の軸部７ｂと針先部７ｃを通る平面（即ち鉛直面）内における軸部７ｂに対して略直交する方向（即ち上下方向）に突出した円環状に形成されている。そして、ヘッド２のライン挿通孔（図３参照、符号３）に挿通されたライン１１は、スプリットリング（図２参照、符号７ｅ）を介さないで即ち直接ラインアイ部７ａに結び繋がれている。
【００５６】
ヘッド２の凹所５は、フック７の軸部７ｂと針先部７ｃを通る平面（即ち鉛直面）内における軸部７ｂに対して略直交する方向（即ち上下方向）に延びた断面略長方形状のものであり、図９に示すように、凹所５の内側に、ヘッド２のライン挿通孔（図３参照、符号３）に挿通されたライン１１が繋がれたラインアイ部７ａが抜出可能に嵌入されることにより、ヘッド２に対するフック７の向きを固定するものである。すなわち、ラインアイ部７ａが凹所５の内側に嵌入されることによりフック７はその軸周りに回転しなくなり、その結果、ヘッド２に対するフック７の向きが固定される。図９では、フック７の向きはヘッド２に対して上向きに固定されている。
【００５７】
さらに、本第４実施形態の仕掛け１Ｄでは、フック７のラインアイ部７ａを上下逆にして（即ちラインアイ部７ａをフック７の軸周りに１８０°回転させて）ヘッド２の凹所５の内側に嵌入することができ、こうすることにより、ヘッド２に対するフック７の向きを下向きに固定することができる。
【００５８】
以上で本考案の幾つかの実施形態を説明したが、本考案はこれらの実施形態に限定されるものではなく、本考案の要旨を逸脱しない範囲で様々に変更可能である。
【００５９】
例えば、本考案に係る仕掛けでは、フック７のラインアイ部７ａ又はラインアイ部７ａに取り付けられたスプリットリング７ｅに、フック７の軸部７ｂよりも径方向外側に突出するようにフック７やスプリットリング７ｅとは別体形成の断面非円形状のフック向き固定用突片（図示せず）を固定状態に取り付け、この突片を、フック７の軸部７ｂの基端部に設けられた断面非円形状の突出部７ｚとしても良い。この突片は例えばプラスチック（合成樹脂を含む）等の素材で製造される。
【００６０】
また、本考案に係る仕掛けは、例えば、ヘッド２の表面におけるライン挿通孔３のフック７側の端開口部３ａに、上記第１及び第４実施形態に用いられているように上下方向に延びた断面略長方形状の凹所と上記第２及び第３実施形態に用いられているように左右方向に延びた断面略長方形状の凹所とが設けられていても良い。この場合には、フック７の突出部７ｚが上下方向に突出したものであっても左右方向に突出したものであってもヘッド２に対するフック７の向きを上向きや下向きに固定することができる。このように本考案はこれらの実施形態に用いられた技術的事項を複数備えたものであっても良い。
【産業上の利用可能性】
【００６１】
本考案は魚釣り用仕掛け（魚釣り用仕掛け具）に利用可能である。
【符号の説明】
【００６２】
１：仕掛け
２：ヘッド
３：ライン挿通孔
３ａ：ライン挿通孔のフック側の端開口部
５：凹所
７：フック
７ａ：ラインアイ部
７ｂ：軸部
７ｃ：針先部
７ｅ：スプリットリング
７ｚ：突出部
８：ペグ
１１：擬似餌
【図１】
0003203593.tif 000003
【図２】
0003203593.tif 000004
【図３】
0003203593.tif 000005
【図４】
0003203593.tif 000006
【図５】
0003203593.tif 000007
【図６】
0003203593.tif 000008
【図７】
0003203593.tif 000009
【図８】
0003203593.tif 000010
【図９】
0003203593.tif 000011
【図１０】
0003203593.tif 000012